【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
顧客から預かった対象物を、順に振り分ける複数の工程のうち、１の前記工程として受け入れる受入手段と、
前記対象物の各工程における工程管理情報、および、前記対象物に関する対象物情報を記憶した記憶手段と、
前記受け入れた対象物の画像を撮像する画像撮像手段と、
前記対象物を特定するための特徴量を前記撮像した画像から抽出するために、前記撮像した画像を、前記工程管理情報を管理する管理サーバ装置に出力する画像出力手段と、
前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段と、
前記工程管理情報および裁断情報に基づき、前記受け入れた対象物を、当該対象物を前記顧客に返却するために保管する返却保管機構、または、当該対象物を裁断する裁断機構に振り分ける振分手段と、
前記対象物の工程の前記工程管理情報を更新するために、前記対象物の工程の情報を、前記管理サーバ装置に出力する更新出力手段と、
前記裁断情報を取得するために前記撮像した画像を利用した後、当該画像を装置内部から消去する画像消去手段と、
前記対象物情報を前記顧客に納品した後、当該対象物情報を前記記憶手段から消去する対象物情報消去手段と、
を備えたことを特徴とする管理装置。
【請求項２】
請求項１に記載の管理装置において、
前記裁断機構に振り分けられた対象物を裁断することを特徴とする管理装置。
【請求項３】
請求項１または請求項２に記載の管理装置において、
前記振分手段が、前記画像撮像手段により所定の画像が撮像されているか否かの判定結果に基づき、前記返却保管機構、または、前記画像撮像手段の撮像が適切で無かった対象物を保管する保管機構に、前記受け入れた対象物を、振り分けることを特徴とする管理装置。
【請求項４】
請求項１から３のいずれか１項に記載の管理装置において、
前記画像出力手段が、前記撮像した画像を登録するために、前記撮像した画像を、前記管理サーバ装置に出力し、
前記記憶手段が、前記撮像した画像から読み取られた対象物情報を記憶することを特徴とする管理装置。
【請求項５】
請求項１から４のいずれか１項に記載の管理装置において、
前記受入手段が受け入れた前記対象物の状態を判定する受入判定手段と、
前記受入判定手段の判定結果を、前記管理サーバ装置に出力する受入判定結果出力手段と、
を更に備えたことを特徴とする管理装置。
【請求項６】
受入手段が、顧客から預かった対象物を、順に振り分ける複数の工程のうち、１の前記工程として受け入れる受入ステップと、
記憶手段が、前記対象物の各工程における工程管理情報、および、前記対象物に関する対象物情報を記憶した記憶ステップと、
画像撮像手段が、前記受け入れた対象物の画像を撮像する画像撮像ステップと、
画像出力手段が、前記対象物を特定するための特徴量を前記撮像した画像から抽出するために、前記撮像した画像を、前記工程管理情報を管理する管理サーバ装置に出力する画像出力ステップと、
裁断情報取得手段が、前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得ステップと、
振分手段が、前記工程管理情報および裁断情報に基づき、前記受け入れた対象物を、当該対象物を前記顧客に返却するために保管する返却保管機構、または、当該対象物を裁断する裁断機構に振り分ける振分ステップと、
更新出力手段が、前記対象物の工程の前記工程管理情報を更新するために、前記対象物の工程の情報を、前記管理サーバ装置に出力する更新出力ステップと、
画像消去手段が、前記裁断情報を取得するために前記撮像した画像を利用した後、当該画像を装置内部から消去する画像消去ステップと、
対象物情報消去手段が、前記対象物情報を前記顧客に納品した後、当該対象物情報を前記記憶手段から消去する対象物情報消去ステップと、
を含むことを特徴とする管理方法。
【請求項７】
コンピュータを、
顧客から預かった対象物を、順に振り分ける複数の工程のうち、１の前記工程として受け入れる受入手段、
前記対象物の各工程における工程管理情報、および、前記対象物に関する対象物情報を記憶した記憶手段、
前記受け入れた対象物の画像を撮像する画像撮像手段、
前記対象物を特定するための特徴量を前記撮像した画像から抽出するために、前記撮像した画像を、前記工程管理情報を管理する管理サーバ装置に出力する画像出力手段、
前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段、
前記工程管理情報および裁断情報に基づき、前記受け入れた対象物を、当該対象物を前記顧客に返却するために保管する返却保管機構、または、当該対象物を裁断する裁断機構に振り分ける振分手段、
前記対象物の工程の前記工程管理情報を更新するために、前記対象物の工程の情報を、前記管理サーバ装置に出力する更新出力手段、
前記裁断情報を取得するために前記撮像した画像を利用した後、当該画像を装置内部から消去する画像消去手段、および、
前記対象物情報を前記顧客に納品した後、当該対象物情報を前記記憶手段から消去する対象物情報消去手段として機能させることを特徴とする管理装置用のプログラム。
【請求項８】
対象物の工程を管理する管理装置と、前記対象物の工程の情報を管理する管理サーバ装置とを備えた管理システムにおいて、
前記管理装置が、
顧客から預かった前記対象物を、順に振り分ける複数の工程のうち、１の前記工程として受け入れる受入手段と、
前記対象物の各工程における工程管理情報、および、前記対象物に関する対象物情報を記憶した記憶手段と、
前記受け入れた対象物の画像を撮像する画像撮像手段と、
前記対象物を特定するための特徴量を前記撮像した画像から抽出するために、前記撮像した画像を、前記管理サーバ装置に出力する画像出力手段と、
前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段と、
前記工程管理情報および裁断情報に基づき、前記受け入れた対象物を、当該対象物を前記顧客に返却するために保管する返却保管機構、または、当該対象物を裁断する裁断機構に振り分ける振分手段と、
前記対象物の工程の前記工程管理情報を更新するために、前記対象物の工程の情報を、前記管理サーバ装置に出力する更新出力手段と、
前記裁断情報を取得するために前記撮像した画像を利用した後、当該画像を装置内部から消去する画像消去手段と、
前記対象物情報を前記顧客に納品した後、当該対象物情報を前記記憶手段から消去する対象物情報消去手段と、
を備えたことを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、顧客から預かった対象物を、順に振り分ける複数の工程のうち、１の前記工程として受け入れる受入手段と、
前記対象物の各工程における工程管理情報、および、前記対象物に関する対象物情報を記憶した記憶手段と、前記受け入れた対象物の画像を撮像する画像撮像手段と、
前記対象物を特定するための特徴量を前記撮像した画像から抽出するために、前記撮像した画像を、前記工程管理情報を管理する管理サーバ装置に出力する画像出力手段と、
前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段と、前記工程管理情報および裁断情報に基づき、前記受け入れた対象物を、当該対象物を前記顧客に返却するために保管する返却保管機構、または、当該対象物を裁断する裁断機構に振り分ける振分手段と、前記対象物の工程の前記工程管理情報を更新するために、前記対象物の工程の情報を、前記管理サーバ装置に出力する更新出力手段と、前記裁断情報を取得するために前記撮像した画像を利用した後、当該画像を装置内部から消去する画像消去手段と、前記対象物情報を前記顧客に納品した後、当該対象物情報を前記記憶手段から消去する対象物情報消去手段と、を備えたことを特徴とする。
【手続補正３】
【補正対象書類名】明細書
【補正対象項目名】０００８
【補正方法】変更
【補正の内容】
【０００８】
また、請求項３に記載の発明は、請求項１または請求項２に記載の管理装置において、
前記振分手段が、前記画像撮像手段により所定の画像が撮像されているか否かの判定結果に基づき、前記返却保管機構、または、前記画像撮像手段の撮像が適切で無かった対象物を保管する保管機構に、前記受け入れた対象物を、振り分けることを特徴とする。
【手続補正４】
【補正対象書類名】明細書
【補正対象項目名】０００９
【補正方法】変更
【補正の内容】
【０００９】
また、請求項４に記載の発明は、請求項１から３のいずれか１項に記載の管理装置において、前記画像出力手段が、前記撮像した画像を登録するために、前記撮像した画像を、前記管理サーバ装置に出力し、前記記憶手段が、前記撮像した画像から読み取られた対象物情報を記憶することを特徴とする。
【手続補正５】
【補正対象書類名】明細書
【補正対象項目名】００１０
【補正方法】変更
【補正の内容】
【００１０】
また、請求項５に記載の発明は、請求項１から４のいずれか１項に記載の管理装置において、前記受入手段が受け入れた前記対象物の状態を判定する受入判定手段と、前記受入判定手段の判定結果を、前記管理サーバ装置に出力する受入判定結果出力手段と、を更に備えたことを特徴とする。
【手続補正６】
【補正対象書類名】明細書
【補正対象項目名】００１１
【補正方法】変更
【補正の内容】
【００１１】
また、請求項６に記載の発明は、受入手段が、顧客から預かった対象物を、順に振り分ける複数の工程のうち、１の前記工程として受け入れる受入ステップと、記憶手段が、前記対象物の各工程における工程管理情報、および、前記対象物に関する対象物情報を記憶した記憶ステップと、画像撮像手段が、前記受け入れた対象物の画像を撮像する画像撮像ステップと、画像出力手段が、前記対象物を特定するための特徴量を前記撮像した画像から抽出するために、前記撮像した画像を、前記工程管理情報を管理する管理サーバ装置に出力する画像出力ステップと、裁断情報取得手段が、前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得ステップと、振分手段が、前記工程管理情報および裁断情報に基づき、前記受け入れた対象物を、当該対象物を前記顧客に返却するために保管する返却保管機構、または、当該対象物を裁断する裁断機構に振り分ける振分ステップと、更新出力手段が、前記対象物の工程の前記工程管理情報を更新するために、前記対象物の工程の情報を、前記管理サーバ装置に出力する更新出力ステップと、画像消去手段が、前記裁断情報を取得するために前記撮像した画像を利用した後、当該画像を装置内部から消去する画像消去ステップと、対象物情報消去手段が、前記対象物情報を前記顧客に納品した後、当該対象物情報を前記記憶手段から消去する対象物情報消去ステップと、を含むことを特徴とする。
【手続補正７】
【補正対象書類名】明細書
【補正対象項目名】００１２
【補正方法】変更
【補正の内容】
【００１２】
また、請求項７に記載の発明は、コンピュータを、顧客から預かった対象物を、順に振り分ける複数の工程のうち、１の前記工程として受け入れる受入手段、前記対象物の各工程における工程管理情報、および、前記対象物に関する対象物情報を記憶した記憶手段、前記受け入れた対象物の画像を撮像する画像撮像手段、前記対象物を特定するための特徴量を前記撮像した画像から抽出するために、前記撮像した画像を、前記工程管理情報を管理する管理サーバ装置に出力する画像出力手段、前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段、前記工程管理情報および裁断情報に基づき、前記受け入れた対象物を、当該対象物を前記顧客に返却するために保管する返却保管機構、または、当該対象物を裁断する裁断機構に振り分ける振分手段、前記対象物の工程の前記工程管理情報を更新するために、前記対象物の工程の情報を、前記管理サーバ装置に出力する更新出力手段、前記裁断情報を取得するために前記撮像した画像を利用した後、当該画像を装置内部から消去する画像消去手段、および、前記対象物情報を前記顧客に納品した後、当該対象物情報を前記記憶手段から消去する対象物情報消去手段として機能させることを特徴とする。
また、請求項８に記載の発明は、対象物の工程を管理する管理装置と、前記対象物の工程の情報を管理する管理サーバ装置とを備えた管理システムにおいて、前記管理装置が、顧客から預かった前記対象物を、順に振り分ける複数の工程のうち、１の前記工程として受け入れる受入手段と、前記対象物の各工程における工程管理情報、および、前記対象物に関する対象物情報を記憶した記憶手段と、前記受け入れた対象物の画像を撮像する画像撮像手段と、前記対象物を特定するための特徴量を前記撮像した画像から抽出するために、前記撮像した画像を、前記管理サーバ装置に出力する画像出力手段と、前記撮像した画像から抽出された前記特徴量に基づき、前記記憶手段を参照して前記受け入れた対象物を特定した特定結果から、前記対象物を裁断するか否かの裁断情報を前記記憶手段から取得する裁断情報取得手段と、前記工程管理情報および裁断情報に基づき、前記受け入れた対象物を、当該対象物を前記顧客に返却するために保管する返却保管機構、または、当該対象物を裁断する裁断機構に振り分ける振分手段と、前記対象物の工程の前記工程管理情報を更新するために、前記対象物の工程の情報を、前記管理サーバ装置に出力する更新出力手段と、前記裁断情報を取得するために前記撮像した画像を利用した後、当該画像を装置内部から消去する画像消去手段と、前記対象物情報を前記顧客に納品した後、当該対象物情報を前記記憶手段から消去する対象物情報消去手段と、を備えたことを特徴とする。
【手続補正８】
【補正対象書類名】明細書
【補正対象項目名】発明の名称
【補正方法】変更
【補正の内容】
【発明の名称】管理装置、管理方法、管理装置用のプログラム、および、管理システム